(57)【要約】      （修正有）【課題】飲料の供給量を選択的に制約可能で、ストローの使用にも対応し、コップの転倒時にも飲料が一気にこぼれるのを防止できるコップ用キャップを提供する。【解決手段】コップ用キャップはコップの開口部から飲料の上部を覆うように挿入し、使用者への飲料の供給量を制約するとともに、コップが転倒した際、飲料が一気にこぼれるのを防止するキャップであって、略ドーナッツ形状の本体部２と、本体部の外周を取り囲む柔軟な外縁部３と、本体部内周の開口部を覆う柔軟なストロー保持部４とを有し、本体部の上面側にはストロー保持部を挟み平行して位置する一対の半リング状の把持部５を備え、外縁部の、一対の把持部に挟まれた本体部を挟んで対向する２か所には、開口面積の異なる飲料供給部６、７を備え、ストロー保持部にはストローを貫通させて保持する切込み８が備えられる。【選択図】図２
0003223969.tif 000002
【実用新案登録請求の範囲】
【請求項１】
飲料を入れたコップの開口部から飲料の上部を覆うように挿入し、使用者への飲料の供給量を制約するとともに、コップが転倒した際、飲料が一気にこぼれるのを防止するキャップであって、
略ドーナッツ形状の本体部と、前記本体部の外周を取り囲む柔軟な外縁部と、前記本体部内周の開口部を覆う柔軟なストロー保持部とを有し、
前記本体部の上面側には前記ストロー保持部を挟み平行して位置する一対の半リング状の把持部を備え、
前記外縁部の、前記一対の把持部に挟まれた前記本体部を挟んで対向する２か所には、開口面積の異なる飲料供給部を備え、
前記ストロー保持部にはストローを貫通させて保持する切込みが備えられることを特徴とするコップ用キャップ。
【請求項２】
前記外縁部は前記本体部の外周から前記把持部側に凹面形状となるよう湾曲して形成されることを特徴とする請求項１に記載のコップ用キャップ。
【請求項３】
前記飲料供給部は１または複数の貫通孔で形成され、前記外縁部の２か所に設けられた飲料供給部は互いに異なる数の貫通孔により構成されることを特徴とする請求項１又は２に記載のコップ用キャップ。
【考案の詳細な説明】
【技術分野】
【０００１】
本考案はコップ用キャップに関し、特に飲料を入れたコップの開口部から飲料の上部を覆うように挿入し、子供の成長や高齢者の状況など使用者の状況に合わせて、飲料の供給量を選択的に制約可能であり、ストローの使用にも対応し、コップの転倒時にも飲料が一気にこぼれるのを防止することができるコップ用キャップに関する。
【背景技術】
【０００２】
コップに入れた飲料を飲むことは日常生活の中で頻繁に行われ、通常は特に問題は起こらないが、子供や手の力が衰えた高齢者などコップの扱いがうまくできない使用者にとっては、コップを傾けすぎてこぼしてしまうなどの不具合を起こす可能性のある行為となる。また特に小さな子供の場合、飲料の入ったコップを誤って転倒させて、飲料を一気にこぼしてしまうことも多い。
そこで上記のような問題を解決するため、コップを傾けても飲料の流れ出しを制御し、また誤ってコップを転倒させても飲料のこぼれるのを防止するコップ用のキャップが開発されている。
【０００３】
特許文献１には、固体本体と、固体本体の周縁の周りに間隔を置いて半径方向に延びて略円形の外縁を画定する複数の可撓性流体流れ制御要素とを有し、複数の可撓性流体流れ制御要素は、固体本体の周縁部と略円形の外側縁部との間で半径方向に延びる湾曲面を有する底面と、外縁に延びる複数の半径方向スリットとを含み、容器の内壁に接する複数の半径方向スリットを通して、容器からの流体の流れを制御する流体の流れ制御装置が開示されている。
【０００４】
特許文献１の流体の流れ制御装置によれば、スリット部により流れ出す飲料の量が制御されるため、コップを傾けすぎても口元に飲料があふれることを防止でき、またコップを転倒しても飲料が一気にこぼれることがない。しかしコップの内壁とスリットが適正な位置関係にある必要があり、コップの内壁の大きさや傾きなどの形状に大きく影響され、使用可能なコップが限られるという課題がある。
【０００５】
特許文献２には、内面を有する飲料容器から液体がこぼれるのを防止するための概ね凹状のディスクを有する封止体であって、飲料容器にしっかりと嵌合するように、凹部が増大するように任意の方向に曲げられる弾性の中央部と、中央部から外周上方に広がる逆円錐台形状のフランジとディスクの中心から外れた位置に設けられた飲用孔と、ディスクの中心から外れ飲用孔と反対側の位置に設けられた通気孔と、飲料容器からディスクを取り出すのを助けるために中央部及びフランジの頂部に取り付けられたディスク取り出し手段とを備える飲料容器用封止体が開示されている。
【０００６】
特許文献２の発明によれば、飲料の供給口となる飲用孔は外縁に設けられてはいないので、特許文献１の発明の様にコップの形状の影響は少ない。しかし飲用孔は一定の大きさのものが１つ設けられているのみであるので、飲料の供給量が固定されるため使用者の状況に応じて必ずしも適正な量が供給されるとは限らない。例えばコップを使い始めの小さい子供には適正な供給量であっても、それから少し成長した子供にとっては供給量が足らずに物足りなさを感じさせることになる。
【０００７】
特許文献１の発明も２の発明も、ともにコップを傾けて飲むことを前提としているが、移動しながら飲料を飲む場合はストローを使って飲むことが好まれる。この場合移動に伴って中の飲料が揺れることから、飲料をこぼさないという点では課題は共通している。
そこで様々なコップに対応し、使用者の状況に応じて飲料の供給量を変えることができ、ストローの使用にも好適であり、コップを転倒しても又コップを持って移動しても中の飲料を大量に零すことの無いコップ用のキャップの提供が望まれる。
【先行技術文献】
【特許文献】
【０００８】
【特許文献１】米国特許第９，３９４，０８７号明細書
【特許文献２】米国特許第５，５５３，７３１号明細書
【考案の概要】
【考案が解決しようとする課題】
【０００９】
本考案は上記従来の問題点に鑑みてなされたものであって、本考案の目的は、飲料を入れたコップの開口部から飲料の上部を覆うように挿入し、子供の成長や高齢者の状況など使用者の状況に合わせて、飲料の供給量を選択的に制約可能であり、ストローの使用にも対応し、コップの転倒時にも飲料が一気にこぼれるのを防止することができるコップ用キャップを提供することである。
【課題を解決するための手段】
【００１０】
上記目的を達成するためになされた本考案によるコップ用キャップは飲料を入れたコップの開口部から飲料の上部を覆うように挿入し、使用者への飲料の供給量を制約するとともに、コップが転倒した際、飲料が一気にこぼれるのを防止するキャップであって、略ドーナッツ形状の本体部と、前記本体部の外周を取り囲む柔軟な外縁部と、前記本体部内周の開口部を覆う柔軟なストロー保持部とを有し、前記本体部の上面側には前記ストロー保持部を挟み平行して位置する一対の半リング状の把持部を備え、前記外縁部の、前記一対の把持部に挟まれた前記本体部を挟んで対向する２か所には、開口面積の異なる飲料供給部を備え、前記ストロー保持部にはストローを貫通させて保持する切込みが備えられることを特徴とする。
【００１１】
前記外縁部は前記本体部の外周から前記把持部側に凹面形状となるよう湾曲して形成されることが好ましい。
前記飲料供給部は１または複数の貫通孔で形成され、前記外縁部の２か所に設けられた飲料供給部は互いに異なる数の貫通孔により構成されることが好ましい。
【考案の効果】
【００１２】
本考案のコップ用キャップによれば、飲料を入れたコップの開口部から飲料の上部を覆うように挿入した際、本体部の外周を取り囲む柔軟な外縁部がコップの内壁に密着し、コップが転倒した際にもコップから外れることが無いので、中の飲料が一気にこぼれるのを防止することが可能である。
【００１３】
また本考案のコップ用キャップによれば、対向する２か所の外縁部に開口面積の異なる飲料供給部を備えるため、コップを傾けた際の飲料の流出量を選択的に変えることができ、子供が小さいときは開口面積の小さい飲料供給部を使用し、子供が成長したら開口面積の大きい飲料供給部を使用するというように、使用者の状況に応じて２か所の飲料供給部を使い分けることができる。
【００１４】
さらに、飲料供給部は、変形しやすい外周近傍ではなく、外縁部の半径方向の幅の中心又は中心から本体部側の外縁部に設けられるため、外縁部の外周近傍がコップの形状に合わせて変化しても、飲料供給部の開口面積は影響を受けにくいため、様々な大きさや形状のコップにも使用可能である。
【００１５】
また本考案のコップ用キャップによれば、本体内周の開口部を覆う柔軟なストロー保持部を有するため、車両の中やコップを持って移動する場合でも、コップの中で揺れる飲料をこぼすことなくストローを使って安定して飲料を飲むことが可能である。
【００１６】
さらに、本考案のコップ用キャップによれば、把持部は一対の半リング状に形成されるため指をかけて把持しやすく、両方の把持部をつまんでも、一方の把持部だけをつまんでもコップへの付け外しが容易に行えるという効果も奏する。
【図面の簡単な説明】
【００１７】
【図１】本考案の一実施形態によるコップ用キャップの概略構造を示す図である。
【図２】本考案の一実施形態によるコップ用キャップのコップへの装着方法を説明するための図である。
【図３】本考案の一実施形態によるコップ用キャップの使用方法を示す断図面である。
【図４】本考案の一実施形態によるコップ用キャップの他の使用方法を示す断図面である。
【考案を実施するための形態】
【００１８】
以下本考案のコップ用キャップを実施するための具体例を、図面を参照しながら詳細に説明する。
図１は、本考案の一実施形態によるコップ用キャップの概略構造を示す図であり、図１（ａ）は正面図であり、図１（ｂ）は右側面図である。
【００１９】
本考案によるコップ用キャップは、飲料を入れたコップの開口部から飲料の上部を覆うように挿入し、万一コップを転倒してしまっても、中の飲料が一気にこぼれてしまうのを防止する一方で、コップ用キャップの外縁部の対向する２か所に開口して設けられた飲料供給部の一方に向けてコップを傾けることにより、飲料供給部の開口面積に応じて制約された流量の飲料を飲むことができるように飲料の流出量を制約することが可能なコップ用キャップである。外縁部の２か所の飲料供給部の開口部は、開口面積が互いに異なるように構成されるため、使用者はいずれかの飲料供給部を選んで使用することにより、使用者の状況に合わせて制約された流量の飲料を飲むことができる。
【００２０】
また、本考案によるコップ用キャップは、２か所の飲料供給部の他に中央部にストローを指し込んで使用するための切込みを備えたストロー保持部を有しており、使用者は必要によりストローを指し込んで飲料を飲むこともできる。
【００２１】
図１を参照すると、本考案によるコップ用キャップ１は略ドーナッツ形状の本体部２と、本体部２の外周を取り囲む柔軟な外縁部３と、本体部２の内周の開口部を覆う柔軟なストロー保持部４とを有する。
【００２２】
本体部２はコップ用キャップ１の全体の基本形状を維持する役割を果たし、変形しにくいように硬質の樹脂材料により形成される。また強度を確保するため本体部２は全体に湾曲するように形成され、実施形態ではコップに取り付けた際、上面側に凸形状になるように湾曲した局面を備える。
【００２３】
本体部２の上面にはドーナッツ形状の内周の開口部を挟んで平行に位置する一対の半リング状の把持部５を備える。コップ用キャップ１をコップに取り付けたり外したりする際、使用者は把持部５を掴むことにより容易に着脱が可能である。把持部５は半リング状であるので、親指と人差し指で一対の把持部５を外側からつまむと、指の先端が把持部５に掛かり易くコップ用キャップ１の取り扱いが容易である。また一対の把持部５の一方のみをつまんでも着脱が可能であり、さらに、取り外す場合に限れば、指一本のみでも、一対の把持部５の一方に掛けて引き上げるようにすればコップ用キャップ１を取り外すことができる。
【００２４】
外縁部３は、本体部２の外周を取り囲んで本体部２の半径方向に広がるように構成される。外縁部３は、コップの内壁面に接しコップ用キャップ１がコップから外れないようにコップ用キャップ１を支持するとともに、コップの内壁面との界面から飲料が漏れ出さないようにコップ内壁面に隙間なく密着する必要があり、ゴムなどの柔軟で弾力のある材料で形成される。
また、外縁部３はコップに取り付けやすく、簡単に外れにくいようにコップ用キャップ１の上面側、即ち把持部５が備えられる側に凹面形状になるように湾曲して形成される。
【００２５】
外縁部３の、本体部２を挟んで対向する２か所には、開口面積の異なる飲料供給部（６、７）が設けられる。実施形態では飲料供給部（６、７）は図１（ａ）に示すように、一対の把持部５に挟まれた本体部２を挟んで対向する位置に設けられる。
【００２６】
飲料供給部（６、７）は１つまたは複数の貫通孔で形成され、使用者が飲料の入ったコップを飲料供給部（６、７）の一方に向けて傾けると、その飲料供給部（６又は７）の開口面積に合わせて飲料が流出するので、飲料の流出量を調整する役割を果たすものである。また飲料供給部（６、７）の一方に向けて傾けると、他方は本体部２を挟んで対向する位置に設けられるので、一方の飲料供給部（６又は７）から飲料が流出する間、通気口の役割を果たし、飲料の流出を脈流なく連続的に行うことを可能とする。
【００２７】
２か所の飲料供給部（６、７）は互いに開口面積が異なり、一実施形態では飲料供給部６は１つの貫通孔、飲料供給部７は飲料供給部６と同じ穴径の貫通孔が２つで形成される。他の実施形態では飲料供給部６は１つの貫通孔、飲料供給部７は飲料供給部６より穴径の大きな貫通孔１つで形成される。２か所の飲料供給部（６、７）は開口面積が異なればこれらの実施形態に限らず、例えば同じ形の貫通孔であれば２か所の飲料供給部（６、７）は互いに異なる任意の数となるよう形成してもよく、穴径の違う複数の貫通孔を組み合わせてもよく、形状に関しても丸穴と長穴などのように形状が異なっても構わない。
【００２８】
２か所の飲料供給部（６、７）の開口面積が異なることにより、例えば子供が小さいときには開口面積の小さい飲料供給部６を使用し、子供が成長して飲料供給部６からの飲料の流出量では物足りなくなったら、開口面積の大きい飲料供給部７を使用するというように使い分けて長く使用することができる。
【００２９】
ストロー保持部４はストローを貫通させて保持する切込み８を備える。実施形態ではストロー保持部４の中心で十字状に交わる２本の切り込みを備えるが、２本に限らず、中心で交わるような３本以上の切り込みを備えるようにしても構わない。
ストロー保持部４は、ゴムなどの柔軟で弾力のある材料で形成されるため、ストローを使用しないときは切込み８があるだけで、大きく開口することはないが、ストローが挿入されると切込み８によって分割された部分がストローに沿って変形するのでストローの貫通する分だけ開口してストローを保持する。
【００３０】
外縁部３とストロー保持部４はともに柔軟で弾力のある材料である必要があり、実施形態では両者は共通の材料で形成される。外縁部３とストロー保持部４とは、それぞれ本体部２の外周縁と内周縁に個別に結合させて形成してもよいが、共通の材料で形成できることから、実施形態では外縁部３とストロー保持部４とを少なくとも一部が連続する一体の構成として形成し、少なくとも一部を連続させる部分と本体部２が重なり合うように貼り合わせる形態に形成する。
【００３１】
図２は本考案の一実施形態によるコップ用キャップのコップへの取り付け方法を説明するための図である。
図２を参照すると、使用者は把持部５を掴んでコップ用キャップ１を飲料１０の入ったコップ９の開口する上方から飲料１０の上部を覆うように挿入する。このとき外縁部３が把持部５の側に凹面形状となるように形成されているので、コップ９の内壁面に沿って挿入しやすくなっている。また外縁部３は柔軟で弾性を有する材料で形成されるため、内壁の径や内壁の傾きが異なる様々なコップ９にも使用が可能である。ただし、内径の小さいコップ９にコップ用キャップ１を取り付けると、外縁部３の変形が大きくなり、コップ９の内壁に密着する領域が増えることになる。それに伴って飲料供給部（６、７）のある部分もコップ９の内壁に密着してしまうと飲料供給部（６、７）の開口部がふさがってしまい、飲料１０が流出しなくなるおそれがある。そこで飲料供給部（６、７）は外縁部３の外周方向の幅の中心か、それより内側に設けるのが好ましい。
【００３２】
図３は本考案の一実施形態によるコップ用キャップの使用方法を示す断図面であり、図３（ａ）はコップにコップ用キャップを取り付けた状態、図３（ｂ）はコップを傾けて飲料を飲む場合の状況を示す。図３は一対の把持部５の間の中心を通る線に沿う断面図である。
【００３３】
図３を参照すると、コップ用キャップ１をコップ９に挿入して取り付けた状態では、外縁部３の外周部はコップ９の内壁面に沿って上方に変形され、それに応じて発生する外縁部３の元の形状に戻ろうとする弾性力により、コップ９の内壁に密着される。このような状態となると、コップ用キャップ１はコップ９から簡単には外れなくなるため、この状態でコップ９を転倒しても、中の飲料１０が一気にこぼれ出すことはない。
【００３４】
一方コップ用キャップ１を取り付けたまま、例えば飲料供給部６の方向に傾けると、図３（ｂ）のように中の飲料１０は飲料供給部６の開口部を超える位置まで到達し、飲料供給部６の開口部から飲料１０が流出する。このとき図３の断面上には無いので図示されないが、飲料供給部７は液面の上方に位置するため空気の流通路となり、飲料供給部６の開口部から流出する飲料１０の量に見合った空気が飲料供給部７からコップ９の内部に流入し、飲料供給部６からの飲料１０の流出は円滑に行われる。
逆にコップ用キャップ１を取り付けたまま、飲料供給部７の方向に傾けると、飲料供給部７の開口部から飲料１０が流出するとともに飲料供給部６が空気の流通路となる。
【００３５】
また、コップ用キャップ１を取り付けないで、コップ９を一気に傾けたり、必要以上に傾けたりすると、飲みきれない飲料１０がコップ９と使用者の顔との隙間から零れ落ちるおそれがあるが、コップ用キャップ１を取り付けていれば、コップ９を一気に傾けても、必要以上に傾けても飲料１０の流出量は飲料供給部（６、７）によって制約されるため、このようにこぼれ出すおそれがない。そのためコップ用キャップ１を使用することにより、コップ９の取り扱いが十分にできない小さな子供や、手の力が衰えた高齢者や、手に震えなどの障害がある使用者でも安心して飲料１０を飲むことができる。
【００３６】
図４は、本考案の一実施形態によるコップ用キャップの他の使用方法を示す断図面である。
図４を参照すると、コップ９に取り付けたコップ用キャップ１のストロー保持部４にはストロー１１が挿入される。ストロー保持部４には切込み８が設けられるが、ストロー１１を使用しないときは、ストロー保持部４の弾性により、切込み８は閉じた状態を維持する。しかしストロー１１を挿入するときはストロー保持部４の柔軟性により、切込み８が開き、ストロー保持部４の中心部がストロー１１に沿って変形する。変形したストロー保持部４の中心部は弾性により元に戻ろうとするため、この力によってストロー１１がふらつくことなく保持される。
【００３７】
ストロー１１を使用して飲料１０を飲む場合、コップ９は大きく傾けることが無いので、飲料供給部（６、７）は飲料１０の液面より上方に開口することから、空気の流通路となる。そのためストロー１１から勢いよく飲料１０を吸い込んでも、図４の矢印で示すようにコップ９の内部には空気が流入し、コップ９内の減圧で吸い込みに対する抵抗が発生することがなく、使用者は容易に飲料１０を飲むことができる。
【００３８】
以上、本考案の実施形態について図面を参照しながら説明したが、本考案は、上述の実施形態に限定されるものではなく、本考案の技術的範囲から逸脱しない範囲内で多様に変更することが可能である。
【符号の説明】
【００３９】
１    コップ用キャップ
２    本体部
３    外縁部
４    ストロー保持部
５    把持部
６、７    飲料供給部
８    切込み
９    コップ
１０    飲料
１１    ストロー
【図１】
0003223969.tif 000003
【図２】
0003223969.tif 000004
【図３】
0003223969.tif 000005
【図４】
0003223969.tif 000006